(57)【要約】      （修正有）【課題】繰り返し使用しても、高い快適性及び作業性を持続することが可能な合羽を提供する。【解決手段】電動ファンを備える作業着の上から着用する合羽上衣２を有する合羽であって、合羽上衣２の袖口部２５にはゴム２８が取り付けられ、合羽上衣２の首回り２３には線ファスナー２９が取り付けられ、合羽上衣２の袖口部２５の掌側であり、かつ、ゴム２８よりも袖口部奥側には、排出孔２７が設けられており、合羽上衣２の肩部上面２２Ａの裏側から袖部上面２２Ｂの裏側にかけて通気用スペーサー３が取り付けられている。さらに、合羽上衣２の背部裏面には給気用スペーサー５が取り付けられており、排出孔２７よりも袖口部奥側には、１回転以上の螺旋構造を備えるコイル状のシール材６が、両端部が袖口部甲側に配置されるように袖口部２５の内周面に沿って取り付けられている。【選択図】図２
0003225346.tif 000002
【実用新案登録請求の範囲】
【請求項１】
回転翼部と当該回転翼部を覆うカバー部とを備える電動ファンが背部に取り付けられ、当該電動ファンを作動させると背部に設けられた給気口から外気が取り込まれることにより服地が膨らむとともに、取り込まれた空気が首側開口部又は腕側開口部から排気される作業着の上から着用する合羽上衣を有する合羽であって、
前記合羽上衣の袖口部には、袖口の開口サイズを絞る袖口側調整手段としてのゴム、ヒモ、ボタン、又は、ファスナーが取り付けられ、
前記合羽上衣の首回りには、首回りの開口サイズを絞る首側調整手段としてのゴム、ヒモ、ボタン、又は、ファスナーが取り付けられ、
前記合羽上衣の袖口部掌側であり、かつ、前記袖口側調整手段よりも袖口部奥側には、排出孔が設けられており、
前記合羽上衣の肩部上面の裏側から袖部上面の裏側にかけて、複数の突起物、又は、格子状に組み合わされた複数本のコイル、のいずれかにより形成される通気用スペーサーが取り付けられており、
前記合羽上衣の背部裏面には、前記カバー部に向けて設けられる複数の突片を備え、前記電動ファンを作動させたとき前記カバー部の一部に当該突片が当接する給気用スペーサーが取り付けられており、
前記排出孔よりも袖口部奥側には、１回転以上の螺旋構造を備えるコイル状のシール材が、両端部が袖口部甲側に配置されるように前記袖口部の内周面に沿って取り付けられている、ことを特徴とする合羽。
【請求項２】
前記シール材は、前記シール材の両端部が袖口開口側となるように傾斜して配置されており、
前記シール材の断面は、本体部と、当該本体部の内周側に設けられ袖口開口側に向けて突出するフランジ部とを備える勾玉状に形成されており、
前記合羽上衣には前記通気用スペーサーを覆う網の目状の裏地が取り付けられており、
前記合羽上衣の背部裏面、及び、前記給気用スペーサーのそれぞれには、互いに着脱可能に係合する面ファスナーが取り付けられている、ことを特徴とする請求項１記載の合羽。
【請求項３】
前記合羽上衣の裾が着用者の臀部を覆い股下に達する長さに形成されており、
前記合羽上衣の裾口部には円環状の樹脂製又は金属製のワイヤーが組み込まれており、
前記合羽はズボンを有し、当該ズボンのヘソ側近傍には複数の通風孔が設けられていること、を特徴とする請求項１又は２記載の合羽。
【考案の詳細な説明】
【技術分野】
【０００１】
本考案は、合羽に関し、特に、雨天時に屋外において各種作業に従事する作業員が着用して好適な雨合羽に関する。
【背景技術】
【０００２】
雨天時に作業員が着用する合羽としては、快適性が高く、かつ、作業しやすい形態のものが好まれる。
【０００３】
ところで、炎天下における熱中症対策用の作業着として、背部に電動ファンが取り付けられ私服の上から着用可能な上衣がある。例えば、電動ファンを作動させると、背部に設けられた給気口から外気が取り込まれることにより服地が膨らむとともに、取り込まれた空気が身体に沿って流れて、首回りや袖口から排出される過程で生じる気化熱を利用して着用者の身体を冷却するものが知られている（図１、特許文献１段落［０００３］参照）。
【先行技術文献】
【特許文献】
【０００４】
【特許文献１】特開２０１８−１３１７１３号公報
【考案の概要】
【考案が解決しようとする課題】
【０００５】
雨天時に合羽を着用して発汗を伴う作業に従事すると、合羽の外表面が雨水に晒されており、合羽の内部が汗で蒸れてしまうため、大変不快である。この点、防水性を有する素材を用いた、又は、表面に防水加工が施された合羽が通用されているが、このような合羽は、一般に、折り曲げたり油等の汚れが付着したりするうちに徐々に防水機能が低下し、快適性が失われてしまう。とくに、工事現場のような環境下では合羽の表面に油汚れや傷が付きやすいが、いちいち合羽に付着した汚れを洗い落としたり傷を補修したりするのが煩雑であり、快適性が失われ易かった。
【０００６】
本考案は、上記課題に鑑みてなされたものであり、繰り返し使用しても、高い快適性及び作業性を持続することが可能な合羽を提供することを目的とする。
【課題を解決するための手段】
【０００７】
本考案に係る合羽は、回転翼部と当該回転翼部を覆うカバー部とを備える電動ファンが背部に取り付けられ、当該電動ファンを作動させると背部に設けられた給気口から外気が取り込まれることにより服地が膨らむとともに、取り込まれた空気が首側開口部又は腕側開口部から排気される作業着の上から着用する合羽上衣を有する合羽であって、
前記合羽上衣の袖口部には、袖口の開口サイズを絞る袖口側調整手段としてのゴム、ヒモ、ボタン、又は、ファスナーが取り付けられ、
前記合羽上衣の首回りには、首回りの開口サイズを絞る首側調整手段としてのゴム、ヒモ、ボタン、又は、ファスナーが取り付けられ、
前記合羽上衣の袖口部掌側であり、かつ、前記袖口側調整手段よりも袖口部奥側には、排出孔が設けられており、
前記合羽上衣の肩部上面の裏側から袖部上面の裏側にかけて、複数の突起物、又は、格子状に組み合わされた複数本のコイル、のいずれかにより形成される通気用スペーサーが取り付けられており、
前記合羽上衣の背部裏面には、前記カバー部に向けて設けられる複数の突片を備え、前記電動ファンを作動させたとき前記カバー部の一部に当該突片が当接する給気用スペーサーが取り付けられており、
前記排出孔よりも袖口部奥側には、１回転以上の螺旋構造を備えるコイル状のシール材が、両端部が袖口部甲側に配置されるように前記袖口部の内周面に沿って取り付けられている、ことを特徴とする。なお、袖口部とは、着用者の手首を覆う円筒状の範囲をいう。
【０００８】
本考案に係る合羽は、好ましくは、前記シール材は、前記シール材の両端部が袖口開口側となるように傾斜して配置されており、
前記シール材の断面は、本体部と、当該本体部の内周側に設けられ袖口開口側に向けて突出するフランジ部とを備える勾玉状に形成されており、
前記合羽上衣には前記通気用スペーサーを覆う網の目状の裏地が取り付けられており、
前記合羽上衣の背部裏面、及び、前記給気用スペーサーのそれぞれには、互いに着脱可能に係合する面ファスナーが取り付けられている、ことを特徴とする。なお、袖口開口側とは、着用時に着用者が手首を通す、内外に連通する袖口の先端側をいう。
【０００９】
本考案に係る合羽は、更に好ましくは、前記合羽上衣の裾が着用者の臀部を覆い股下に達する長さに形成されており、
前記合羽上衣の裾口部には円環状の樹脂製又は金属製のワイヤーが組み込まれており、
前記合羽はズボンを有し、当該ズボンのヘソ側近傍には複数の通風孔が設けられていること、を特徴とする。
【考案の効果】
【００１０】
本考案によれば、繰り返し使用しても、高い快適性及び作業性を持続することが可能な合羽を提供することができる。
【図面の簡単な説明】
【００１１】
【図１】電動ファンが背部に取り付けられた作業着を後方から示した図である。
【図２】本考案の一実施の形態である合羽の正面図である。
【図３】通気用スペーサーの第１の実施の形態である複数の突起物の一例を拡大して示す図である。
【図４】通気用スペーサーの第２の実施の形態である格子状に組み合わされた複数本のコイルの一例を拡大して示す図である。
【図５】（Ａ）は図１に示す給気用スペーサーを正面側から示した斜視図であり、（Ｂ）は裏面側から示した斜視図である。
【図６】（Ａ）は図１に示すシール材の取り付け状態を模式的に説明する図であり、（Ｂ）はシール材の断面形状を拡大して示す図である。
【図７】図１に示す作業着の上から、図２に示す合羽上衣を着用して電動ファンを作動させたときの、合羽上衣内部における空気の流れを模式的に示す図である。
【考案を実施するための形態】
【００１２】
本考案に係る合羽が有する合羽上衣は、背部に電動ファンが取り付けられた作業着をインナーとして着込んだ作業者が、アウターとして着用することを前提とするものである。すなわち、本考案に係る合羽が有する合羽上衣は、従来、熱中症対策用、より広くは身体冷却用に用いられてきた空調衣服等と称される作業着を、雨天時においてインナーとして着用したうえで、その上から着用することにより、繰り返し使用しても、高い快適性及び作業性を持続することが可能な雨具を提供するものである。以下、適宜図面を参照しつつ本考案の一実施の形態を具体的に説明するが、本考案は図面に示す実施の形態に限定されるものではなく、本考案の要旨を変更しない限りにおいて適宜変更可能である。
【００１３】
図１は、電動ファン１５が背部１１に取り付けられた作業着１を後方から示した図であり、特に、電動ファン１５を作動させた状態を示しており、図中の矢印は空気の流れを示している。図２は、本考案の一実施の形態である合羽の正面図であり、特に、着用前の、合羽上衣２全体と、ズボン９の一部（膝上）を正面方向から示しており、説明の便宜上、裏地７は一部（半身側）にのみ描いている。
【００１４】
本考案に係る合羽は、図１に示されるような、回転翼部１５１と回転翼部１５１を覆うカバー部１５２とを備える電動ファン１５が背部１１に取り付けられ、電動ファン１５を作動させると背部１１に設けられた給気口１４から外気が取り込まれることにより服地（特に腹部ないし腰部）が膨らむとともに（図１参照）、取り込まれた空気が首側開口部１２又は腕側開口部１３から排気される作業着１の上から着用する合羽上衣２を有する合羽であって、図２に示されるように、合羽上衣２の袖口部２６には、袖口の開口サイズを絞る袖口側調整手段としてのゴム２８が取り付けられ、合羽上衣２の首回り２３には、首回りの開口サイズを絞る首側調整手段としての線ファスナー２９が取り付けられている。加えて、合羽上衣２の袖口部２５の掌側であり、かつ、ゴム２８よりも袖口部奥側には、排出孔２７が設けられており、合羽上衣２の肩部上面２２Ａの裏側から袖部上面２２Ｂの裏側にかけて、複数の突起物３１により形成される通気用スペーサー３が取り付けられている。さらに、合羽上衣２の背部裏面には、カバー部１５２に向けて設けられる複数の突片５１を備え、電動ファン１５を作動させたときカバー部１５２の一部に突片５１が当接する給気用スペーサー５が取り付けられており、排出孔２７よりも袖口部奥側には、１回転以上の螺旋構造を備えるコイル状のシール材６が、両端部６１が袖口部甲側に配置されるように袖口部２５の内周面に沿って取り付けられている。以下、構成要素ごとに詳細に説明する。なお、袖口部２５とは、着用者Ｈの手首Ｗを覆う円筒状の範囲をいう。
【００１５】
作業者は、シャツの上から作業着１を着用している。作業着１の背部１１（腰部）には２つの給気口１４が設けられており、それぞれの給気口１４には電動ファン１５が取り付けられている。電動ファン１５は、回転軸と複数枚の羽から構成される回転翼部１５１と、回転翼部１５１を覆うように取り付けられるザル状のカバー部１５２とを備える。電動ファン１５には、作業着１の内側ポケット等に収容される充電式モバイルバッテリー（図示省略）が接続されており、スイッチを操作して回転翼部１５１に電力を供給することにより、回転翼部１５１を回転させ、外気を作業着１の内部（身体側）に取り込むことができる。
【００１６】
作業着１の裾周りにはゴム等の伸縮性部材１６が組み込まれており、着用者Ｈの腰回りを締め付けることにより、腰回りから空気が流入又は流出し難い構成となっている。なお、同構成を実現する手段として、腰ベルトや腰ヒモを用いて腰回りを締め付けるようにしても良い。かかる構成により、電動ファン１５を作動させたとき、図１に示すように、給気口１４から外気が取り込まれて服地が膨らむとともに、取り込まれた空気が首側開口部１２又は腕側開口部１３から排気される。
【００１７】
このような作業着１としては、炎天下における熱中症対策用の作業着として、従来一般に知られているもの（例えば、特許文献１参照）を用いることができるが、後述のとおり、肩部や脇部辺りに籠もった湿気を排気すべく、好ましくは、腕側開口部から排気された空気が脇部辺りに流れ込み易くなる袖の短い形状のもの、より好ましくは、図１に示すようなノースリーブ型のものを着用する。
【００１８】
本考案に係る合羽は、長袖型である合羽上衣２と、ズボン９とを有する。合羽上衣２及びズボン９の表面には、防水加工が施されている。
【００１９】
合羽上衣２の袖口部２５には、雨水や異物の進入を防ぐとともに袖口からの空気の流出を防ぐため、袖口の開口サイズを絞る袖口側調整手段としてのゴム２８が取り付けられている。なお、かかる袖口側調整手段としては、ゴム２８に代えて、ヒモ、ボタン、又は、ファスナー（面ファスナーや線ファスナー）を用いても良い。
【００２０】
合羽上衣２の首回り２３には、雨水や異物の進入を防ぐとともに首回り２３からの空気の流出を抑制するため、首回りの開口サイズを絞る首側調整手段としての線ファスナー２９が取り付けられている。なお、かかる首側調整手段としては、線ファスナー２９に代えて、ゴム、ヒモ、ボタン、又は、面ファスナーを用いても良い。なお、図示する場合においては、線ファスナー２９は、合羽上衣２の前面側全体を開閉するものとして、首回り２３から裾口部２４にかけて取り付けられている。
【００２１】
本考案に係る合羽は、上述の袖口側調整手段や首側調整手段を備える既製品である合羽（好ましくは、防水性を有する素材を用いた、又は、表面に防水加工が施された合羽）をベースに製作することができ、製造コストに優れている。
【００２２】
合羽上衣２の袖口部２５の掌側（別言すれば、腕を捻らずに自然に下ろした状態で胴体に対面する側）であり、かつ、袖口側調整手段であるゴム２８よりも袖口部奥側には、排出孔２７が設けられている。排出孔２７は袖口側調整手段（ゴム２８）とシール材６との間に設けられるものであり、例えば、１ｃｍ程度の小孔として左右それぞれの袖口部２５に１箇所ずつ穿設することにより形成される。排出孔２７は、袖口部２５の内外に連通しているが、電動ファン１５の作動時には、合羽上衣２の内部に取り込まれた空気が排出孔２７から吐出されることにより、外部からの雨水の浸入を阻むことができる。
【００２３】
通気用スペーサーは、合羽上衣２の裏面２１のうち降雨に濡れやすい箇所、より具体的には、肩部上面２２Ａ側や袖部上面２２Ｂ側のように雨に濡れて身体にはり付きやすい箇所の裏面側に取り付けられる。本実施の形態の通気用スペーサー３は、合羽上衣２の肩部上面２２Ａの裏側から袖部（二の腕部）上面２２Ｂの裏側にかけて取り付けられることにより、作業着１と合羽上衣２の肩部上面側ないし袖部上面側とを離隔して、これらの間に隙間を形成する部材である。当該隙間は、給気口１４から取り込まれた空気の流路となるとともに、雨に濡れた合羽上衣２が身体に張り付くことを防止する。
【００２４】
図３は、通気用スペーサーの第１の実施の形態である複数の突起物３１の一例を拡大して示す図である。通気用スペーサー３は、任意の間隔で離隔して配置された複数の突起物３１により形成されている。突起物３１のそれぞれは、弾力性のある樹脂製（例えば、シリコン製）であり、身体に向けて突出する円筒型に形成されている。なお、突起物のそれぞれを別体として形成したうえで、合羽上衣の裏面に固着するようにしても良いが、図３に示すように、複数の突起物３１が設けられたベース体３２を合羽上衣の裏面２１に固着するようにすれば、効率的に通気用スペーサー３を取り付けることができる。突起物の形状は円筒型に限られず、円錐型、ドーム型や波型であっても良く、ベース体３２の形状やベース体３２に取り付けられる突起物３１の個数は任意である。
【００２５】
図４は、通気用スペーサーの第２の実施の形態である格子状に組み合わされた複数本のコイル４１の一例を拡大して示す図である。通気用スペーサー３に代えて、図４に示すような、格子状に組み合わされた複数本のコイル４１により形成される通気用スペーサー３を用いても良い。通気用スペーサー４によれば、捻りやすい一方で潰れにくい面状のスペーサーを形成することができる。
【００２６】
前述のとおり、電動ファン１５を作動させると、合羽上衣２の臀部側とズボン９との間にある外気が作業着１の内部（身体側）に取り込まれるが、この際、合羽上衣２が電動ファン１５に吸い付いてカバー部１５２全体を覆うことにより外気の流れ（取り込み）が阻害されないように、給気用スペーサー５が取り付けられる。図５（Ａ）は図１に示す給気用スペーサー５を正面側から示した斜視図であり、同図（Ｂ）は裏面側から示した斜視図である。給気用スペーサー５は、カバー部１５２に向けて突設される左右一対の突片５１と、これらの突片５１が突設される基板部５２とにより構成される溝形部材であり、基板部５２の裏面には面ファスナー８２が設けられており、合羽上衣２の背部裏面に着脱可能に取り付けられる。給気用スペーサー５は、図２に示すように、空気流路となる突片５１の間の溝部５３が臀部側に向けて開口するように上下方向に沿って取り付けられる。したがって、電動ファン１５を作動させたとき、合羽上衣２が電動ファン１５側に吸い寄せられるが、カバー部１５２の一部に突片５１が当接することにより、合羽上衣２によりカバー部１５２全体が塞がれることを防止されるとともに、溝部５３が空気流路となって、裾口部２４とズボン９の間から入り込んでくる外気をカバー部１５２内へとスムーズに取り込むことができる。
【００２７】
図６（Ａ）は図１に示すシール材６を左袖口部側に取り付けた状態を模式的に説明する図であり、図中下側が袖口の開口側であり、説明の便宜上、左袖口部の一部（正面側）を切り欠いて描いている。図６（Ｂ）はシール材６の断面形状を拡大して示す図である。シール材６は、１回転以上の螺旋構造を備えるコイル状の弾性部材（例えばシリコン製）であり、その両端部６１Ａ、６１Ｂが相互に離隔ないし接近する方向に開閉自在であり、着用者Ｈが手首Ｗを通したときに手首Ｗの太さに応じて弾性変形し、着用者Ｈの手首Ｗを緩やかに締め付けて雨水の流入を防ぐ。シール材６の両端部６１Ａ、６１Ｂの間は空気流路となっており、袖部に流れ込んできた空気は、専ら当該空気流路を通って排出孔２７から吐出される。
【００２８】
一般に、袖口から浸入した雨水は、袖口部の甲側ではなく、掌側を伝って流れやすい。この点、シール材６は、排出孔２７よりも袖口部奥側（図中上側）に配置され、かつ、その両端部６１Ａ、６１Ｂが袖口部甲側に配置されるように袖口部２５の内周面に沿って取り付けられていることから、袖口から浸入してきた雨水がシール材６の奥側（肘側）に流入しにくい構造となっている。なお、シール材６が手首Ｗの太さに応じて弾性変形するように、袖口部２５に余裕を持たせるため、シール材６の両端部側には、シール材６に固着されないたるみ部２６が設けられている。
【００２９】
シール材６は、手首Ｗを通した状態で、１回転以上の螺旋構造を備える寸法に設定されることが好ましい。この点、手首を通した状態で１回転未満であると、袖口の開口側方向からみたとき、その両端部の間に隙間が出来ることにより雨水がシール材の奥側へ浸入し易くなるおそれがあるが、前記寸法に設定することにより進入経路が蛇行するため、雨水がシール材６の奥側へ浸入し難くなる。
【００３０】
図７は、作業着１（図中、一点鎖線で示す。）の上から合羽上衣２を着用して電動ファン１５を作動させたときの、合羽上衣２内部における空気の流れを模式的に示す図である。作業着１の上から合羽上衣２を着用する（線ファスナー２９を首元まで締め上げて首回り２３からの空気の流出を抑制する）とともに、電動ファン１５を作動させることにより、図中矢印で示すような整流された空気の流れにより、合羽上衣２の内部を空調するとともに、内部に籠もっていた湿気を外部に効率的に排出することができる。
【００３１】
すなわち、電動ファン１５を作動させたとき、合羽上衣２が電動ファン１５に吸い寄せられるが、突片５１がカバー部１５２の一部に当接して給気口１４への空気流路が確保されることにより、給気口１４から作業着１の内部にスムーズに外気が取り込まれる。このとき、作業着１６の裾回りからの空気の流出が抑制されているため、作業着１（特に、腹部ないし腰部）が膨らむとともに（図７参照）、取り込まれた外気は、専ら、作業着１の首側開口部１２又は腕側開口部１３から排気される。ここで、線ファスナー２９により首回り２３からの空気の流出が抑制されており、かつ、作業着１の内部に空気が取り込まれることにより服地（特に腹部ないし腰部）が膨らんで合羽上衣２の内周面に密着することによって裾口２４側への空気の排出が抑制されているため、この作業着１から排気された空気は、専ら、通気用スペーサー３を通って袖に沿って流れる。袖に沿って流れた空気は、ゴム２８により袖口からの空気の流出が抑制されているため、袖口部２５にある排出孔２７から外部に排出される。
【００３２】
一般に、合羽の肩部から袖部にかけての部位は、雨に濡れやすく、また、湿気が溜まりやすい箇所である。この点、本考案に係る合羽によれば、雨に濡れた合羽上衣２がインナーに張り付きにくいため高い作業性を持続され、また、図７中矢印で示すとおり、内部に籠もった湿気を効率的に排除し雨に濡れた部分を内側から乾かすことができ高い快適性を持続される。
【００３３】
一般に、腕を上げる動作を伴う作業（例えば、天井面の工事）を行う場合には、袖口から雨水が浸入しやすい。この点、本考案に係る合羽によれば、袖口部にはシール材６が取り付けられており、かつ、合羽上衣２の内部に取り込まれた空気がシール材６の両端部６１Ａ、６１Ｂの間から排出孔２７の方へと吹き出すように構成されているため、袖口奥側への浸入が困難であり、袖口部が快適に保たれ、高い作業性を持続することができる。
【００３４】
給気用スペーサー５や通気用スペーサー３を取り付けることにより空気の流路が確保されているため、パワーの少ない電動ファンを利用しても、上記効果を実現できる。なお、給気用スペーサーとしては、上記実施の形態に限られず、電動ファンのカバー部に向けて設けられる複数の突片を備え、電動ファンを作動させたときカバー部の一部に突片が当接する構成を有するものであれば足り、例えば、突片としては、突片５１のように板状のものではなく複数の柱状突起物から成るものであっても良い。かかる形態であれば、合羽上衣がカバー部全体に吸い付くことを阻止するとともに、複数の柱状突起物の間を空気流路としてカバー部１５２内へと外気をスムーズに取り込むことができる。
【００３５】
本考案に係る合羽は、好ましくは、以下の構成を有する。すなわち、好ましくは、シール材６は、図６（Ａ）に示すように、シール材６の両端部６１Ａ、６１Ｂが袖口開口側（図中下側）となるように袖口の開口部方向に対して傾斜して配置される。かかる配置によればシール材６が排出孔２７に向けて傾斜して配置されるため、例えば、腕を上げる動作を伴う作業（例えば、天井面の工事）を行ったときに袖口から浸入しシール材６により阻まれた雨水を、排出孔２７に誘導しやすい。
【００３６】
また、好ましくは、シール材６の断面は、図６（Ｂ）に示すように、本体部６２と、本体部６２の内周側に設けられ袖口開口側（図中下方向）に向けて突出したフランジ部６３とを備えるとともに、全周囲を滑らかな曲線によって囲まれた勾玉状に形成されており、手首Ｗに接する内周部６４が、袖口部２５に取り付けられる外周部６５の曲率よりも大きな曲率で湾曲している。フランジ部６３を設けてシール材６に手首Ｗを挿入した状態での肌への接触面を大きくするとともに、袖口の開口側に向けてフランジ部６３を突出させることにより、肌への当たりが柔らかく着け心地が良くなるとともに、袖口部奥側へ雨水が浸入し難くなる。
【００３７】
また、好ましくは、合羽上衣２には、図２に示すように、通気用スペーサー３を覆う網の目状の裏地７が取り付けられている。これにより、通気用スペーサー３が作業着１に引っかかり難くなり、作業着１の上から合羽上衣２を着用し易く、かつ、動き易くなるため、作業性が向上する。なお、説明の便宜上、図２においては、裏地７は半身側にのみ取り付けられているが、実用的には、左右双方に取り付けられる。
【００３８】
また、好ましくは、合羽上衣２の背部裏面、及び、給気用スペーサー５のそれぞれには、互いに着脱可能に係合する位置調整手段としての面ファスナー８１、８２が取り付けられている（図５（Ｂ）参照）。合羽上衣２に取り付けられる面ファスナー８１の面積は、給気用スペーサー５に取り付けられる面ファスナー８２の面積よりも大きい。前述のとおり、電動ファン１５が装着される作業着１としては既製品を利用できるところ、メーカーや型番が異なるため電動ファン（給気口）が異なる位置に設けられている作業着であっても、電動ファン１５の装着位置に対応して、給気用スペーサー５の取付け位置を調整することができる。なお、かかる位置調整手段としては、ボタンを用いても良い。
【００３９】
本考案に係る合羽は、更に好ましくは、次の構成を有する。すなわち、更に好ましくは、図２に示すように、合羽上衣２の裾が着用者Ｈの臀部を覆い股下に達する長さ（丈）に形成されている。さらに、合羽上衣２の裾口部２４には円環状の樹脂製又は金属製のワイヤー８３が組み込まれており、合羽はズボン９を有し、ズボン９のヘソ側近傍には複数の通風孔９１が設けられている。ワイヤー８３を組み込むことにより、裾口部２４の開口形状が円環状に保たれる。
【００４０】
本構成によれば、丈が標準的なものよりも長いため臀部回りが濡れにくく、かつ、ワイヤー８３が組み込まれているため合羽上衣２が濡れてもズボン９に張り付かないため、快適性や作業性が持続する。加えて、骨盤回りに外気が流れ込み易く、通風孔９１を介して内部の湿気が放出され易くなり、ズボンが蒸れにくい。なお、通風孔９１の形状は任意であり、また、通風孔９１はヘソ側（腹側）にのみ設けられているため、尻側に腰袋を装着しても通風孔９１が塞がれることはない。
【００４１】
本考案は、上記実施の形態ないし実施例に限定されず、その考案の趣旨を逸脱しない範囲で種々変形実施が可能である。合羽は、合羽上衣２とズボン９とを有するが、合羽上衣２のみを単独で用いても上記考案の効果を実現でき、更に好ましくは、ズボン９と組み合わせて用いても良い。
【産業上の利用可能性】
【００４２】
本考案は、合羽に関し、特に、雨天時に、屋外において各種作業に従事する作業員が着用して好適な雨合羽として利用することが可能である。
【符号の説明】
【００４３】
１        作業着
１１      背部
１２      首側開口部
１３      腕側開口部
１４      給気口
１５      電動ファン
１５１    回転翼部
１５２    カバー部
１６      伸縮性部材
２        合羽上衣
２１      裏面
２２Ａ    肩部上面
２２Ｂ    袖部上面
２３      首回り
２４      裾口部
２５      袖口部
２６      たるみ部
２７      排出孔
２８      袖口側調整手段（ゴム）
２９      首側調整手段（線ファスナー）
３        通気用スペーサー（第１の実施の形態）
３１      突起物
４        通気用スペーサー（第２の実施の形態）
４１      コイル
５        給気用スペーサー
５１      突片
６        シール材
６１Ａ    端部
６１Ｂ    端部
６２      本体部
６３      フランジ部
７        裏地
８１      面ファスナー
８２      面ファスナー
８３      ワイヤー
９        ズボン
９１      通風孔
Ｈ        着用者
Ｗ        手首
【図１】
0003225346.tif 000003
【図２】
0003225346.tif 000004
【図３】
0003225346.tif 000005
【図４】
0003225346.tif 000006
【図５】
0003225346.tif 000007
【図６】
0003225346.tif 000008
【図７】
0003225346.tif 000009